(57)【要約】【課題】誘目性を高めてガードケーブルの視認性を向上できる表示装置を提供する。【解決手段】ガードケーブルのケーブルに、表示体を上下方向に間隔をあけて配置させて複数取り付けて表示装置を構成させる。各表示体にはそれぞれ部分表示部を形成しており、この部分表示部を組み合わせて一の表示を表すように前記表示装置を設ける。この表示装置は、一の表示が一体的に視認されるようになされて、表される前記一の表示の内容を観者が認識しやすくなされる。また、前記一の表示が一体的に視認されるようになされることで観者の注意を引きつけやすくなされるので、誘目性が向上する。【選択図】        図１
2019090295.tif 000002
【特許請求の範囲】
【請求項１】
道路に沿って設置されたガードケーブルのケーブルに取り付けられる複数の表示体を備える表示装置であって、
前記各表示体は前記ケーブルの長手方向に長い長尺体に形成され、該各表示体の外面には部分表示部が形成されており、
上下方向に間隔をあけて配置された複数の前記ケーブルに前記各表示体がそれぞれ取り付けられると共に、該各表示体の部分表示部が組み合わされて一の表示が表されるようになされていることを特徴とする表示装置。
【請求項２】
前記各表示体は、上下方向の大きさが前記各ケーブルの間隔の０．２倍以上１倍未満に形成され、各ケーブルに取り付けられて上下方向に配置された各表示体の間に隙間が形成されていることを特徴とする請求項１に記載の表示装置。
【請求項３】
前記表示体は、前記ケーブルの長手方向に複数配置されて並設されており、
長手方向に配置された各表示体の部分表示部が組み合わされて前記一の表示が表されるようになされていることを特徴とする請求項１又は２に記載の表示装置。
【請求項４】
前記各表示体は、前記ケーブルの外形よりも大きな中空部を内側に有する筒状の本体部と、該本体部から下方へ突出する下垂部を備え、
前記本体部の中空部に前記ケーブルを収納させて該ケーブルに取り付けられた前記表示体の下垂部が、該下垂部の重量によって下方へ向かうように配置されることを特徴とする請求項１〜３のいずれかに記載の表示装置。
【請求項５】
前記各表示体は、前記本体部の筒壁の下部に長手方向の全長に亘る切欠部が形成されており、
該切欠部に相対する筒壁の一方の端部に接続して下方へ突出する第一の下垂部が形成され、
前記筒壁の他方の端部に接続して下方へ突出する第二の下垂部が形成され、
該第二の下垂部と前記第一の下垂部とが互いに当接可能に形成されていることを特徴とする請求項４に記載の表示装置。
【請求項６】
前記各表示体が取り付けられた前記ケーブルに保持部材が取り付けられ、
前記各表示体は、長手方向の端部が前記保持部材へ当接可能に取り付けられていることを特徴とする請求項１〜５のいずれかに記載の表示装置。
【発明の詳細な説明】
【技術分野】
【０００１】
本発明は、主に道路に沿って設置されるガードケーブルのケーブルへ取り付ける表示装置に関するものである。
【背景技術】
【０００２】
走行する車両の道路からの逸脱を防ぐための柵体として、従来よりガードレールや高欄などが利用されており、その一種として、間隔をあけて立設させた支柱の間にワイヤーなどのケーブルを架設させて設けるガードケーブルも利用されている。
このガードケーブルは鋼材からなる柵体のビームやガードレールなどと比較して、ケーブルの外径が小さいことから、車両の運転者などから視認されにくく、その解決手段としてケーブルへ表示体を取り付けて視認性を向上させる方法などが、提案されている。
【０００３】
例えば、特許文献１には、全体的に細長い形状であり、単一の断面形状を有するゴム製又は樹脂製の発泡体と、その片側の面に貼着された反射シートとから成り、前記の単一な断面形状は、渦巻板と平板との連結体を切断した形状であり、かつ、少なくとも前記平板部分の片面に反射シートが貼着されていることを特徴とする、反射シートを備えた標識が提案されている。
【先行技術文献】
【特許文献】
【０００４】
【特許文献１】特開２００９−２２１７４０号公報
【発明の概要】
【発明が解決しようとする課題】
【０００５】
しかしながら、特許文献１の如き標識は、２色の反射シートを長手方向へ交互に配置して縞模様を表し、ケーブルの視認性を向上させるものではあるが、その誘目性向上の効果には限界がある。
【０００６】
本発明は、より誘目性を高めてガードケーブルの視認性を向上できる表示装置を提供するものである。
【課題を解決するための手段】
【０００７】
上記目的を達成するため、本発明は以下のような構成としている。
すなわち本発明に係る表示装置は、道路に沿って設置されたガードケーブルのケーブルに取り付けられる複数の表示体を備える表示装置であって、
前記各表示体は前記ケーブルの長手方向に長い長尺体に形成され、該各表示体の外面には部分表示部が形成されており、
上下方向に間隔をあけて配置された複数の前記ケーブルに前記各表示体がそれぞれ取り付けられると共に、該各表示体の部分表示部が組み合わされて一の表示が表されるようになされていることを特徴とするものである。
【０００８】
本発明に係る表示装置によれば、ケーブルの長手方向に長い長尺体に形成し、その外面に部分表示部を形成した表示体をガードケーブルのケーブルへ取り付けるので、ガードケーブルの視認性が向上する。
また、上下方向に間隔をあけて配置された複数の前記ケーブルに前記各表示体をそれぞれ取り付けると共に、この各表示体の部分表示部を組み合わせて一の表示を表すので、この一の表示が一体的に視認されるようになされて、表される前記一の表示の内容を観者が認識しやすくなされる。また、前記一の表示が一体的に視認されるようになされることで観者の注意を引きつけやすくなされるので、誘目性が向上する。
【０００９】
また、前記各表示体の上下方向の大きさを、前記各ケーブルの間隔の１倍未満に形成して、各ケーブルに取り付けて上下方向に配置させた各表示体の間に隙間を形成すれば、各表示体が互いに接触することによる劣化や破損などを防止できるので、好ましい。
また、前記各表示体の上下方向の大きさを、前記各ケーブルの間隔の０．２倍以上に形成すれば、各表示体の部分表示部を組み合わせて表す前記一の表示がより一体的に視認されるようになされるので、好ましい。
【００１０】
また、前記表示体を、前記ケーブルの長手方向に複数配置させて並設させ、長手方向に配置させた各表示体の部分表示部を組み合わせて前記一の表示を表せば、前記一の表示をより形成しやすくなるので、好ましい。
【００１１】
また、前記各表示体に、前記ケーブルの外形よりも大きな中空部を内側に有する筒状の本体部と、この本体部から下方へ突出する下垂部を備えさせ、前記本体部の中空部に前記ケーブルを収納させてこのケーブルに取り付けた前記表示体の下垂部を、この下垂部の重量によって下方へ向かうように配置させれば、前記表示体に車両が接触するなどしてその傾きが変化した場合でも、下垂部の重量によって通常の配置に戻るので、各表示体の部分表示部を組み合わせて表す前記一の表示が良好に視認できる状態が継続でき、好ましい。
【００１２】
また、前記本体部の筒壁の下部に長手方向の全長に亘る切欠部を形成すれば、前記切欠部を通過させたケーブルを前記本体部の中空部に位置させて、表示体の本体部をケーブルへ容易に取り付けることができるので、好ましい。
また、この切欠部に相対する筒壁の一方の端部に接続して下方へ突出する第一の下垂部を形成し、前記筒壁の他方の端部に接続して下方へ突出する第二の下垂部を形成すれば、前記各下垂部がその重量によって下方へ向かう配置となされ、前記切欠部が本体部の下方に配置される。このため、前記ケーブルが切欠部へ接触しにくくなされ、ケーブルが切欠部を通過して表示体がケーブルから外れてしまうような問題が抑制できるので、好ましい。
また、前記第二の下垂部と前記第一の下垂部とを互いに当接可能に形成すれば、第一の下垂部と第二の下垂部との当接によって前記本体部の変形が抑制される。このため、本体部内側の前記中空部がケーブルの外形よりも大きな状態が維持され、前記各下垂部の重量によって下垂部が下方へ向かうように配置される前記の機能が継続できるので、好ましい。
【００１３】
また、前記各表示体が取り付けられた前記ケーブルに保持部材を取り付け、前記各表示体の長手方向の端部を前記保持部材へ当接可能に各表示体をケーブルへ取り付ければ、各表示体の長手方向への移動が抑制できるので、各表示体の部分表示部を組み合わせて表す一の表示が良好に視認できる状態が継続でき、好ましい。
【発明の効果】
【００１４】
本発明の表示装置によれば、各表示体を組み合わせて一の表示を表すことで、車両運転手などの誘目性を高めることができる。
【図面の簡単な説明】
【００１５】
【図１】本発明に係る表示装置の実施の一形態を示す正面図である。
【図２】図１の表示体の正面図である。
【図３】図２の側面図である。
【図４】図１の表示体の正面図である。
【図５】図４のＡ−Ａ断面図である。
【図６】図４のＢ−Ｂ断面図である。
【図７】図１の表示体の側面図である。
【図８】図１のＡ−Ａ断面図である。
【図９】図８の表示体の下垂部が側方へ配置された状態を示す図である。
【図１０】本発明に係る表示装置の実施の他の一形態を示す正面図である。
【図１１】本発明に係る表示装置の実施の他の一形態を示す正面図である。
【図１２】図１１の表示体の正面図である。
【図１３】図１２のＡ−Ａ断面図である
【図１４】図１２のＢ−Ｂ断面図である。
【図１５】図１１の表示体の正面図である。
【図１６】図１５のＡ−Ａ断面図である
【図１７】図１６のＢ−Ｂ断面図である。
【図１８】本発明に係る表示装置の実施の他の一形態を示す正面図である。
【図１９】本発明に係る表示装置の実施の他の一形態を示す正面図である。
【図２０】図１９の表示体の側面図である。
【図２１】図１９の表示体の側面図である。
【図２２】図１９の表示体の側面図である。
【図２３】本発明に係る表示装置の実施の他の一形態を示す正面図である。
【図２４】本発明に係る表示装置を構成する表示体の実施の他の一形態を示す側面図である。
【図２５】本発明に係る表示装置を構成する表示体の実施の他の一形態を示す側面図である。
【図２６】本発明に係る表示装置を構成する表示体の実施の他の一形態を示す側面図である。
【図２７】本発明に係る表示装置を構成する表示体の実施の他の一形態を示す側面図である。
【図２８】本発明に係る表示装置を構成する表示体の実施の他の一形態を示す側面図である。
【図２９】本発明に係る表示装置を構成する表示体の実施の他の一形態を示す側面図である。
【発明を実施するための形態】
【００１６】
発明の実施の形態を図面に基づき具体的に説明する。
図面において、２はガードケーブルであり、１は前記ガードケーブル２へ設置させた表示装置である。
図１に示すガードケーブル２は、従来から利用されているものと同様の構成であり、長手方向へ間隔をあけて立設させた複数の支柱２２の間にワイヤーからなるケーブル２１を架設させている。
図１に示すガードケーブル２では、各支柱２２の間に５本のケーブル２１を上下方向に間隔をあけて配置させている。
図１のガードケーブル２は、一例として、前記各支柱２２の間隔は約４ｍ程度に設けており、前記各ケーブル２１の中心間の間隔をそれぞれ１１０ｍｍに設けている。
【００１７】
前記表示装置１は、前記ケーブル２１へ取り付けた表示体１０で構成している。
図１において、前記表示体１０は各ケーブル２１の長手方向に沿って４個並設させており、各支柱２１間に架設させた５本のケーブル２１へそれぞれ４個づつ合計２０個取り付けている。
尚、一例として、前記各表示体１０は長手方向の大きさをそれぞれ９５０ｍｍに設け、上下方向の大きさをそれぞれ７０ｍｍに設けている。
尚、以降の説明において、前記ケーブル２１や表示体１０の長手方向に対して垂直な一方向を上下方向とし、長手方向及び上下方向に対して垂直な方向を幅方向として説明する。
【００１８】
図１に示す前記表示装置１は、合計２０個の前記各表示体１０を組み合わせ、正面側と背面側とに矢印表示をそれぞれ１個づつ表すように設けている。
具体的には、前記各表示体１０は、その外面に部分表示部１５と部分表示部１６を備えており、この部分表示部１５、１６の組み合わせにより、前記矢印表示を形成している。
尚、前記各表示体１０は、部分表示部１５、１６をそれぞれ異なるように形成した、表示体１０ａ、１０ｂ、１０ｃを備えており、これら３種類の各表示体１０の組み合わせによって前記表示装置１を構成している。
【００１９】
図２は図１の表示体１０ａの正面図であり、図３は図２の側面図である。
表示体１０ａは、幅方向及び上下方向よりも長手方向の大きさが大きな長尺体であり、長手方向に対して垂直な断面形状を全長に亘って同じ形状に形成している。
また、表示体１０ａは、樹脂や金属などの弾性変形可能な材料で形成している。
表示体１０ａは、上部に筒状の本体部１１を備えており、本体部１１は内側に中空部ｈを備えて長手方向両端が開口する筒形状に形成している。
また、前記本体部１１は、上下方向の直径を左右方向の直径よりも僅かに大きく形成した略楕円形状の断面に形成している。
本体部１１の下部には、その筒壁が途切れる切欠部１２を形成しており、切欠部１２は本体部１１の長手方向に沿って全長に亘り形成している。
【００２０】
前記表示体１０ａには、切欠部１２に相対する本体部１１の筒壁の一方の端部１１ａに接続する第一の下垂部１３を形成している。第一の下垂部１３は、本体部１１の筒壁の厚みと略同じ大きさの厚みの平板状に形成しており、本体部１１の筒壁の端から下方へ突出するように延設させている。
また、切欠部１２に相対する本体部１１の筒壁の他方の端部１１ｂには、第二の下垂部１４を接続させて形成している。第二の下垂部１４は、前記第一の下垂部１３と同じ形状の平板状に形成しており、本体部１１の筒壁の端から下方へ突出するように延設させている。
前記本体部１１の各端部１１ａ、１１ｂはそれぞれ離間しており、前記第一の下垂部１３と第二の下垂部１４は、前記各端部１１ａ、１１ｂに接続する上部から下方に至るほど互いの間隔が小さくなる傾斜状に配置させて、互いの下端が接触するように形成している。
【００２１】
前記表示体１０ａは、前記第一の下垂部１３が形成された側の幅方向の一方の外面を部分表示部１５とし、他方の外面を部分表示部１６としている。
前記各部分表示部１５、１６は、一例として黒色に形成した前記本体部１１及び各下垂部１３、１４の外面と異なる色調に着色した着色部を備えており、具体的には、照射された光を照射方向へ向けて反射させる再帰反射性を備える反射シートを貼着させて着色している。
前記部分表示部１５は、帯状に形成した前記反射シートを前記第一の下垂部１３の板面へ貼着させて形成した着色部１５ｂと、第一の下垂部１３が形成された幅方向側の前記本体部１１の外面に帯状に形成した前記反射シートを貼着させて形成した着色部１５ａとを備えている。
図２に示すように、前記各着色部１５ａ、１５ｂは、前記反射シートを前記表示体１０ａの長手方向の全長に亘って貼着させてそれぞれ形成している。
また、前記部分表示部１６は、前記部分表示部１５と同様に、帯状に形成した前記反射シートを前記第二の下垂部１４の板面へ貼着させて形成した着色部１６ｂと、第二の下垂部１４が形成された幅方向側の前記本体部１１の外面に帯状に形成した前記反射シートを貼着させて形成した着色部１６ａとを備えている。
前記各部分標示１６ａ、１６ｂは、各着色部１５ａ、１５ｂと同様に、前記反射シートを前記表示体１０ａの長手方向の全長に亘って貼着させてそれぞれ形成している。
尚、前記着色部１５ａ、１５ｂはそれぞれ同一の色調の反射シートで形成しており、一例として、赤色の再帰反射性シートで形成している。
また、前記着色部１６ａ、１６ｂはそれぞれ同一の色調の反射シートで形成しており、具体的には、前記着色部１５ａ、１５ｂと同一の色調である赤色の再帰反射性シートで形成している。
即ち、前記部分表示部１５は幅方向の一方側へ表示体１０ａの全長に亘り前記各着色部１５ａ、１５ｂの色調である赤色を表すように設けており、前記部分表示部１６は幅方向の他方側へ表示体１０ａの全長に亘り前記各着色部１６ａ、１６ｂの色調である赤色を表すように設けている。
【００２２】
図１に示す表示装置１の表示体１０ｂ及び表示体１０ｃは、外面に設けた各部分表示部１５、１６の表す表示のみが、前記表示体１０ａと異なっている。
即ち、前記各表示体１０ｂ、１０ｃは、前記表示体１０ａと同じ長さの長尺体であり、下部に切欠部１２を備える略楕円筒状の本体部１１と、その筒壁の両端にそれぞれ接続してさせて下方へ突出する平板状の第一の下垂部１３、第二の下垂部１４をそれぞれ形成している。
また、前記各表示体１０ｂ、１０ｃは、前記第一の下垂部１３が形成された側の幅方向の一方の外面を部分表示部１５とし、他方の外面を部分表示部１６としている。
【００２３】
図４は図１の表示体１０ｂの正面図であり、図５は図４のＡ−Ａ断面図であり、図６は図４のＢ−Ｂ断面図である。
前記表示体１０ｂは、前記各部分表示部１５、１６に、帯状で赤色の反射シートを貼着させて形成した着色部１５ａ〜１６ｂを備えている。
具体的には、前記部分表示部１５は、前記反射シートを前記第一の下垂部１３の板面へ貼着させて形成した着色部１５ｂと、前記本体部１１の外面に前記反射シートを貼着させて形成した着色部１５ａとを備えており、前記部分表示部１６は、前記反射シートを前記第二の下垂部１４の板面へ貼着させて形成した着色部１６ｂと、前記本体部１１の外面に前記反射シートを貼着させて形成した着色部１６ａとを備えている。
前記表示体１０ｂは、長手方向の中央から一端側の端に至るまで前記各反射シートを貼着させて前記各着色部１５ａ、１５ｂを形成しており、長手方向の中央から前記一端側の端に至るまで前記各反射シートを貼着させて前記各着色部１６ａ、１６ｂを形成している。
換言すると、前記各部分表示部１５、１６を備える前記表示体１０ｂは、一端側の端から長手方向の中央に至るまで幅方向両側へ前記各着色部１５ａ、１５ｂ、１６ａ、１６ｂの色調である赤色を表し、他端側の端から長手方向の中央に至るまで幅方向両側へ本体部１１や各下垂部１３、１４の外面の色調である黒色のみを表すように設けている。
【００２４】
図７は図１の表示体１０ｃの側面図である。
前記表示体１０ｃは、前記表示体１０ａと同様に、部分表示部１５に帯状で赤色の反射シートを貼着させて形成した着色部１５ａ、１５ｂを備えており、各着色部１５ａ、１５ｂは、前記表示体１０ａの部分表示部１５と同様に、前記反射シートを表示体１０ｃの全長に亘って貼着させて形成している。
また、前記部分表示部１５の幅方向逆側に配置される部分表示部１６は反射シートで形成される着色部を備えていない。
換言すると、前記各部分表示部１５、１６を備える前記表示体１０ｃは、幅方向の一方側へ前記各着色部１５ａ、１５ｂの色調である赤色を全長に亘って表し、幅方向の他方側へ本体部１１や第二の下垂部１４の色調である黒色のみを全長に亘って表すように設けている。
【００２５】
図２〜７に示す前記各表示体１０ａ〜１０ｃは、本体部１１の中空部ｈへケーブル２１を配置させ、本体部１１の筒壁の内面をケーブル２１へ載置させて、ケーブル２１へ取り付けている。
図８は図１のＡ−Ａ断面図である。
前記中空部ｈは、ケーブル２１と本体部１１の筒壁との間に隙間ｓが生じるようにケーブル２１よりも大きな断面形状に形成しており、各表示体１０は、ケーブル２１と本体部１１の下部との間に生じる最も大きな隙間ｓがケーブル２１の直径と略同じ大きさとなるように設けている。
各表示体１０のケーブル２１への着脱は、ケーブル２１を表示体１０の第一の下垂部１３と第二の下垂部１４との間を通過させて行うことができる。
即ち、表示体１０を弾性変形させて前記各下垂部１３、１４を引き離すと共に、本体部１１の切欠部１２を離間させ、ケーブル２１が通過可能な隙間を生じさせて、表示体１０の着脱を行うことができる。
尚、各表示体１０の切欠部１２は、外力による弾性変形を生じていない状態で、前記ケーブル２１の直径よりも小さな幅の大きさに形成している。
【００２６】
ケーブル２１へ表示体１０を取り付けることで、図８に示すように、ケーブル２１の周囲に表示体１０の本体部１１の筒壁が配置される。
この筒壁が配置されることで、ガードケーブル２へ走行する車両などが接触したとき、ケーブル２１へ直接接触する場合と比較して、表示体１０の本体部１１へ接触するときの方が、その接触面積が大きくなされ、接触した車両へ与える損傷が抑制される。
【００２７】
ガードケーブル２へ取り付けられた表示体１０は、本体部１１をケーブル２１へ固定させてはいないので、風を受けたり車両が接触するなどの外力を受けたときに、ケーブル２１へ取り付けられた状態で回転移動する場合がある。
図９は図８の表示体１０の第一の下垂部１３や第二の下垂部１４が側方へ配置された状態を示す図である。
表示体１０は、幅方向側から風を受けた時に図９に示すような回転移動をすることで、ケーブル２１が受ける風荷重を低減させることができる。
表示体１０の本体部１１内の中空部ｈは、その断面の大きさがケーブル２１よりも大きく設けられているので、上記のような外力を受けて図９のような状態となった場合においても、ケーブル２１の上に本体部１１の筒壁が載置した状態となされ、ケーブル２１の下端と本体部１１の筒壁との間に隙間ｓが生じる。そして、図９のような状態となされた表示体１０は、前記各下垂部１３、１４がその重量で下方へ落下する力により本体部１１が図中の点線矢印の方向へ戻るように回転移動し、再び図８に示す取り付け状態に復元しやすくなされている。
また、図８に示す取付状態が維持されることで、本体部１１の切欠部１２とケーブル２１とが離間した状態が維持されるので、ケーブル２１が前記切欠部１２を通過し、表示体１０がケーブル２１から外れてしまうような問題が生じにくくなされる。
また、ガードケーブル２へ車両が接触するときにはガードケーブル２の側方から接触するので、図８に示す取付状態が維持されることで、各下垂部１３、１４の先端部分ではなく、本体部１１の筒壁へ接触しやすくなされ、車両に生じる損傷を抑制するという上記の効果が得られやすくなされる。
図９の状態から図８の状態へ表示体１０が復元するときに、本体部１１の筒壁とケーブル２１との接触部分に生じる摩擦が障害となるが、本体部１１の中空部ｈの大きさをケーブル２１より大きく設けることでこの摩擦を低減することができる。具体的には、ケーブル２１と本体部１１の筒壁との間に生じる隙間ｓの大きさを、ケーブル２１の直径の０．１倍以上に設ける構成が好ましく、０．５倍以上に設ける構成がより好ましい。
【００２８】
前記表示装置１は、３種類の各表示体１０ａ、１０ｂ、１０ｃを図１に示す配置で各ケーブル２１へ取り付けることで、各表示体１０ａ〜１０ｃの部分表示部１５、１６を組み合わせて略くの字形状の矢印表示を正面側へ１個表すように設けている。
そして、前記表示装置１は、各表示体１０ａ〜１０ｃの部分表示部１５、１６を組み合わせて、図１と同一形状の略くの字形状の矢印表示を背面側へ１個表すように設けている。
即ち、前記表示装置１は、正面側と背面側とにそれぞれ逆向きの矢印表示を表すように設けており、進行方向が対向する二つの道路の間に設置させて各進行方向を好適に表すことができる。
尚、図１に示す表示装置１の正面図、及び後述する図１０、１１、１８、１９、２３に示す表示装置１の各正面図では、部分表示部１５、１６がそれぞれ表す表示について、着色部１５ａ〜１６ｂを詳細には図示しておらず、各着色部１５ａ〜１６ｂが形成された位置を全体的に塗りつぶして図示することで、図面を簡略化している。
【００２９】
図１、及び後述する図１、及び後述する図１０、１１、１８、１９、２３に関する以下の説明において、図中最も上方に配置させた各表示体１０を「１行目の表示体１０」とし、その下方に配置させた各表示体１０をそれぞれ上方から「２行目の表示体１０」「３行目の表示体１０」…という順番で番号を付して説明する。
前記表示装置１は、各表示体１０を上下方向へ複数個配置させた図１に示す配置において、各表示体１０ａ〜１０ｃを上下対称に配置させている。
具体的には、前記表示装置１は、表示体１０を上下方向に５個並設させているが、中央に位置する３行目の表示体１０を基準として、２行目と４行目において長手方向の同じ位置に同じ種類の表示体１０を配置し、１行目と５行目において長手方向の同じ位置に同じ種類の表示体１０を配置している。
詳細には、上下対称に配置させた２個の表示体１０は、各部分表示部１５を表示装置１の正面側及び背面側のいずれか一方の同じ方向へそれぞれ向けて配置させ、部分表示部１６を他方の同じ方向へそれぞれ向けて配置させている。換言すると、上下対称に配置させた２個の表示体１０は、各部分表示部１５を向ける方向を一致させている。
各表示体１０の配置は、図１に示すような上下対称の配置に限るものではないが、各表示体１０ａ〜１０ｃを上記のような上下対称の配置とすることで、各表示体１０の部分表示部１５、１６を組み合わせて表す一の表示を正面側と背面側とへそれぞれ表す図１のような構成を、より少ない種類の表示体１０で実現できる。
尚、表示装置１の各表示体１０を上下方向へ偶数個配置させる場合においても、上下方向中央に配置される２個の表示体１０の間の位置を基準として、その上下の各表示体１０を対称に配置させるのが、好ましい。
【００３０】
図１、及び後述する図１０、１１、１８、１９、２３に関する以下の説明において、図中最も左側に配置させた各表示体１０を「１列目の表示体１０」と記載し、その右方に配置させた各表示体１０をそれぞれ左側から「２列目の表示体１０」「３列目の表示体１０」…という順番で番号を付して説明する。
前記表示装置１は、各表示体１０を長手方向へ複数個配置させた図１に示す配置において、長手方向中央の位置を基準として両側へ対称に配置させている。
具体的には、前記表示装置１は、各表示体１０を長手方向へ４個並設させているが、長手方向中央位置Ｃとなされる２列目の表示体１０と３列目の表示体１０の間を基準として、２列目と３列目に同じ種類の表示体１０を配置させ、１列目と４列目に同じ種類の表示体１０を配置させている。
詳細には、長手方向へ対称に配置させた２個の各表示体１０は、各々の部分表示部１５を表示装置１の正面側と背面側の異なる方向へそれぞれ向けて配置させている。換言すると、長手方向へ対称に配置させた２個の表示体１０は、各部分表示部１５を向ける方向を異ならせている。
各表示体１０の配置は、上記のような長手方向中央を基準とする対称の配置に限るものではないが、各表示体１０ａ〜１０ｃをこのように配置させることで、各表示体１０の部分表示部１５、１６を組み合わせて表す一の表示を、正面側と背面側とへそれぞれ表す図１のような構成を、より少ない種類の表示体１０で実現できる。
尚、表示装置１の各表示体１０を長手方向へ奇数個配置させる場合においても、長手方向中央に位置する表示体１０を基準として、その両側の各表示体１０を対称に配置させるのが好ましい。
【００３１】
前記表示装置１は、各表示体１０を上下対称に配置すると共に、長手方向中央を基準として両側へ対称に配置させる図１の配置にすることで、３種類の表示体１０ａ〜１０ｃの各部分表示部１５、１６の組み合わせで、正面側及び背面側へそれぞれ略くの字形状の矢印表示を表すことができる。
【００３２】
図１０は本発明に係る表示装置１の実施の他の一形態を示す正面図である。
図１０に示す表示装置１は、上下方向に５個、長手方向に２個並設させた１０個１組の表示体１０の各部分表示部１５、１６を組み合わせて、略くの字形状の矢印表示を正面側と背面側とへそれぞれ１個づつ表すように設けたものである。
具体的には、前記表示装置１は、１〜２列目に配置させた合計１０個の表示体１０を組み合わせて前記矢印を表す一の表示を形成している。また、３〜４列目の各表示体１０を１〜２列目と同一に配置させて、前記矢印を表す一の表示を形成している。
【００３３】
図１０に示すガードケーブル２は、図１に示すものと同一であり、長手方向へ間隔をあけて立設させた前記支柱２２の間に５本の前記ケーブル２１を架設させて設けている。
また、後述する図１１、１８、１９、２３に示すガ−ドケーブル２も同様に、図１に示すものと同一である。
【００３４】
図１０に示す表示装置１は、２種類の表示体１０ｂ、１０ｃを合計１０個組み合わせて構成させている。
図１０の表示体１０ｂは図４〜６に示す前記表示体１０ｂと同一であり、図１０の表示体１０ｃは図７に示す前記表示体１０ｃと同一である。
前記表示装置１は、２種類の各表示体１０ｂ、１０ｃを図１０に示す配置で１０個並設させることで、正面側と背面側とへそれぞれ１個づつ同一形状の略くの字形状の矢印表示を表すように設けている。前記表示装置１は、正面側と背面側とにそれぞれ逆向きの矢印表示を表すことで、図１に示す前記表示装置１と同様に、進行方向が対向する二つの道路の間に設置させて各進行方向を好適に表すことができる。
【００３５】
図１０に示す表示装置１は、上下方向に５個並設させた各表示体１０ｂ、１０ｃを、図１に示す前記表示装置１と同様に、上下対称に配置させている。即ち、中央に位置する３行目の表示体１０を基準として、２行目と４行目における長手方向の同じ位置に同じ種類の表示体１０を配置し、１行目と５行目における長手方向の同じ位置に同じ種類の表示体１０を配置している。
詳細には、上下対称に配置させた２個の表示体１０は、各部分表示部１５を表示装置１の正面側及び背面側のいずれか一方の同じ方向へそれぞれ向けて配置させ、部分表示部１６を他方の同じ方向へそれぞれ向けて配置させている。換言すると、上下対称に配置させた２個の表示体１０は、各部分表示部１５を向ける方向を一致させている。
このように配置させることで、各表示体１０の各部分表示部１５、１６を組み合わせて正面側と背面側へ前記一の表示をそれぞれ表す構成を、より少ない種類の表示体１０で実現している。
【００３６】
また、図１０に示す表示装置１は、長手方向に複数個並設させた各表示体１０ｂ、１０ｃを、図１に示す前記表示装置１と同様に、長手方向中央の位置を基準として両側へ対称に配置させている。
具体的には、図中左側に配置させた前記表示装置１において、長手方向中央位置Ｃとなされる１列目の表示体１０と２列目の表示体１０との間を基準として、１列目と２列目に同じ種類の表示体１０を、その部分表示部１５の向きを異ならせて配置させている。
このように配置させることで、各表示体１０の部分表示部１５、１６を組み合わせて、正面側と背面側へ前記一の表示をそれぞれ表す構成を、２種類の表示体１０ｂ、１０ｃで実現している。
【００３７】
前記表示装置１は、各表示体１０を上下対称に配置すると共に、長手方向中央を基準として両側へ対称に配置させる図１０の配置にすることで、２種類という少ない種類の表示体１０ｂ、１０ｃの各部分表示部１５、１６の組み合わせで、正面側及び背面側へそれぞれ略くの字形状の矢印表示を表すことができる。
【００３８】
図１１は本発明に係る表示装置１の実施の他の一形態を示す正面図である。
図１１に示す表示装置１は、上下方向に５個、長手方向に２個並設させた１０個１組の表示体１０の各部分表示部１５、１６を組み合わせて、略三角形形状の矢印表示を正面側と背面側とへそれぞれ１個づつ表すように設けたものである。
前記表示装置１は、図１０に示す表示装置１と同様に、１〜２列目に配置させた合計１０個の表示体１０を組み合わせて前記矢印を表す一の表示を形成している。また、３〜４列目の各表示体１０を１〜２列目と同一に配置させて、前記矢印を表す一の表示を形成している。
【００３９】
図１１に示す表示装置１は、３種類の表示体１０ｃ、１０ｄ、１０ｅを合計１０個組み合わせて構成させている。
図１１の表示体１０ｃは、図７に示す前記表示体１０ｃと同一である。
また、図１１の各表示体１０ｄ、１０ｅは、前記１０ｂ、１０ｃと同様に、外面に設けた各部分表示部１５、１６の表す表示のみが、前記表示体１０ａと異なっている。
即ち、前記各表示体１０ｄ、１０ｅは前記各表示体１０ａ〜１０ｃと同一形状に形成した本体部１１と各下垂部１３、１４を備えており、前記第一の下垂部１３が形成された側の幅方向の一方の外面を部分表示部１５とし、他方の外面を部分表示部１６としている。
【００４０】
図１２は図１１の表示体１０ｄの正面図であり、図１３は図１２のＡ−Ａ断面図であり、図１４は図１２のＢ−Ｂ断面図である。
前記表示体１０ｄは、部分表示部１５を、前記表示体１０ｂの部分表示部１５と同じ表示を表すように形成している。即ち、前記表示体１０ｄの部分表示部１５は、前記第一の下垂部１３の板面へ前記反射テープを貼着させて形成した赤色の着色部１５ｂと、前記本体部１１の外面へ前記反射シートを貼着させて形成した赤色の着色部１５ａとを、図１２に示すように、長手方向の中央から一端側の端に至るまで形成し、長手方向の中央から他端側の端の間は本体部１１や第一の下垂部１３の色調である黒色のみを表すように設けている。
また、前記表示体１０ｄは、部分表示部１６を、前記表示体１０ｃの部分表示部１６と同じ表示を表すように形成している。即ち、前記表示体１０ｄの部分表示部１６は、着色部１６ａ、１６ｂを備えておらず、本体部１１や第二の下垂部１４の色調である黒色のみを全長に亘って表すように設けている。
【００４１】
図１５は図１１の表示体１０ｅの正面図であり、図１６は図１５のＡ−Ａ断面図であり、図１７は図１６のＢ−Ｂ断面図である。
前記表示体１０ｅは、部分表示部１５を、前記表示体１０ｂ、１０ｄの部分表示部１５と同じ表示を表すように形成している。即ち、前記表示体１０ｅの部分表示部１５は、前記第一の下垂部１３の板面へ前記反射テープを貼着させて形成した赤色の着色部１５ｂと、前記本体部１１の外面へ前記反射シートを貼着させて形成した赤色の着色部１５ａとを、図１５に示すように、長手方向の中央から一端側の端に至るまで形成し、長手方向の中央から他端側の端の間は本体部１１や第一の下垂部１３の色調である黒色のみを表すように設けている。
また、前記表示体１０ｅは、部分表示部１６を、前記表示体１０ａの部分表示部１６と同じ表示を表すように形成している。即ち、前記表示体１０ｅの部分表示部１６は、前記第二の下垂部１４の板面へ前記反射テープを貼着させて形成した着色部１６ｂと、前記本体部１１の外面へ前記反射シートを貼着させて形成した着色部１６ａとを、全長に亘って形成して赤色を表すように設けている。
【００４２】
図１１に示す表示装置１は、上下方向に５個並設させた３種類の各表示体１０ｃ、１０ｄ、１０ｅを、図１や図１０に示す前記表示装置１と同様に、上下対称に配置させており、各表示体１０の各部分表示部１５、１６を組み合わせて正面側と背面側へ前記一の表示をそれぞれ表す構成を、少ない種類の表示体１０で実現している。
また、図１１に示す表示装置１は、長手方向に複数個並設させた各表示体１０ｃ、１０ｄ、１０ｅを、図１０に示す前記表示装置１と同様に、長手方向中央の位置Ｃを基準として両側へ対称に配置させており、各表示体１０の部分表示部１５、１６を組み合わせて、正面側と背面側へ前記一の表示をそれぞれ表す構成を、少ない種類の表示体１０で実現している。
即ち、図１１に示す前記表示装置１は、各表示体１０を上下対称に配置すると共に、長手方向中央を基準として両側へ対称に配置させる図１１の配置とすることで、３種類という少ない種類の表示体１０ｃ、１０ｄ、１０ｅの各部分表示部１５、１６の組み合わせで、正面側及び背面側へそれぞれ略三角形形状の矢印表示を表すことができる。
【００４３】
図１８は本発明に係る表示装置１の実施の他の一形態を示す正面図である。
図１８に示す表示装置１は、上下方向に５個、長手方向に２個並設させた１０個１組の表示体１０の各部分表示部１５、１６を組み合わせて、略五角形形状の矢印表示を正面側と背面側とへそれぞれ１個づつ表すように設けたものである。
前記表示装置１は、図１０、１１に示す各表示装置１と同様に、１〜２列目に配置させた合計１０個の表示体１０を組み合わせて前記矢印を表す一の表示を形成している。また、３〜４列目の各表示体１０を１〜２列目と同一に配置させて、前記矢印を表す一の表示を形成している。
【００４４】
図１８に示す表示装置１は、３種類の表示体１０ａ、１０ｃ、１０ｅを合計１０個組み合わせて構成させている。
図１８の表示体１０ａ、１０ｃ、１０ｅは、図２、３に示す前記表示体１０ａ、図７に示す前記表示体１０ｃ、図１５〜１７に示す前記表示体１０ｅと、それぞれ同一である。
【００４５】
図１８に示す表示装置１は、上下方向に５個並設させた３種類の各表示体１０ａ、１０ｃ、１０ｅを、図１等に示す前記各表示装置１と同様に、上下対称に配置させており、各表示体１０の各部分表示部１５、１６を組み合わせて正面側と背面側へ前記一の表示をそれぞれ表す構成を、少ない種類の表示体１０で実現している。
また、図１８に示す表示装置１は、長手方向に複数個並設させた各表示体１０ａ、１０ｃ、１０ｅを、図１等に示す前記各表示装置１と同様に、長手方向中央の位置Ｃを基準として両側へ対称に配置させており、各表示体１０の部分表示部１５、１６を組み合わせて、正面側と背面側へ前記一の表示をそれぞれ表す構成を、少ない種類の表示体１０で実現している。
図１８に示す前記表示装置１は、各表示体１０を上下対称に配置すると共に、長手方向中央を基準として両側へ対称に配置させる図１８の配置とすることで、３種類という少ない種類の表示体１０ａ、１０ｃ、１０ｅの各部分表示部１５、１６の組み合わせで、正面側及び背面側へそれぞれ略五角形形状の矢印表示を表すことができる。
【００４６】
図１９は本発明に係る表示装置１の実施の他の一形態を示す正面図である。
図１９に示す表示装置１は、上下方向に５個、長手方向に４個並設させた２０個１組の表示体１０の各部分表示部１５、１６を組み合わせて、略三角形形状の矢印表示を正面側と背面側とへそれぞれ１個づつ表すように設けたものである。
【００４７】
図１９に示す表示装置１は、５種類の表示体１０ａ、１０ｃ、１０ｆ、１０ｇ、１０ｈで構成している。
図１９の表示体１０ａは図２〜３に示す前記表示体１０ａと同一であり、表示体１０ｃは図７に示す前記表示体１０ｃと同一である。
また、図１９の各表示体１０ｆ、１０ｇ、１０ｈは、外面に設けた各部分表示部１５、１６の表す表示のみが、前記表示体１０ａ〜１０ｅと異なっており、前記各表示体１０ｆ、１０ｇ、１０ｈは前記各表示体１０ａ〜１０ｅと同一形状に形成した本体部１１と各下垂部１３、１４を備え、前記第一の下垂部１３が形成された側の幅方向の一方の外面を部分表示部１５とし、他方の外面を部分表示部１６としている。
【００４８】
図２０は、図１９の表示体１０ｆの側面図である。
前記表示体１０ｆは、部分表示部１５を、前記表示体１０ａの部分表示部１５と同じ表示を表すように形成している。即ち、前記表示体１０ｆの部分表示部１５は、前記第一の下垂部１３の板面へ前記反射テープを貼着させて形成した赤色の着色部１５ｂと、前記本体部１１の外面へ前記反射シートを貼着させて形成した赤色の着色部１５ａとを、それぞれ長手方向の全長に亘り形成している。
また、前記表示体１０ｆは、部分表示部１６において、本体部１１の外面に前記着色部１６ａを形成せず、第二の下垂部１４の板面に前記反射シートを長手方向の全長に亘り貼着させた赤色の前記着色部１６ｂを形成している。即ち、前記部分標示１６は、上部において本体部１１の外面の色調である黒色のみを長手方向全長に亘って表し、下部において着色部１６ｂの色調である赤色を長手方向全長に亘って表すように設けている。
【００４９】
図２１は、図１９の表示体１０ｇの側面図である。
前記表示体１０ｇは、部分表示部１５を、前記表示体１０ａ、１０ｆの部分表示部１５と同じ表示を表すように形成している。即ち、前記表示体１０ｇの部分表示部１５は、前記第一の下垂部１３の板面へ前記反射テープを貼着させて形成した赤色の着色部１５ｂと、前記本体部１１の外面へ前記反射シートを貼着させて形成した赤色の着色部１５ａとを、それぞれ長手方向の全長に亘り形成している。
また、前記表示体１０ｆは、部分表示部１６において、本体部１１の外面に前記反射シートを長手方向の全長に亘り貼着させた赤色の前記着色部１６ａを形成し、第二の下垂部１４の板面に前記着色部１６ｂを形成していない。即ち、前記部分表示部１６は、上部において、着色部１６ｂの色調である赤色を長手方向全長に亘って表し、下部において、第二の下垂部１４の色調である黒色のみを長手方向全長に亘って表すように設けている。
【００５０】
図２２は、図１９の表示体１９ｈの側面図である。
前記表示体１０ｇは、各部分表示部１５、１６に前記着色部１５ａ〜１６ｂを形成しておらず、外面の全体に亘って本体部１１や各下垂部１３、１４の色調である黒色を表すように設けている。
【００５１】
図１９に示す表示装置１は、上下方向に５個並設させた各表示体１０ａ、１０ｃ、１０ｆ、１０ｇ、１０ｈを、図１等に示す前記各表示装置１と同様に、上下対称に配置させており、各表示体１０の各部分表示部１５、１６を組み合わせて正面側と背面側へ前記一の表示をそれぞれ表す構成を、少ない種類の表示体１０で実現している。
また、図１９に示す表示装置１は、長手方向に複数個並設させた各表示体１０ａ、１０ｃ、１０ｆ、１０ｇ、１０ｈを、図１等に示す前記各表示装置１と同様に、長手方向中央の位置Ｃを基準として両側へ対称に配置させており、各表示体１０の部分表示部１５、１６を組み合わせて、正面側と背面側へ前記一の表示をそれぞれ表す構成を、少ない種類の表示体１０で実現している。
図１９に示す前記表示装置１は、各表示体１０を上下対称に配置すると共に、長手方向中央を基準として両側へ対称に配置させる図１９の配置とすることで、５種類という少ない種類の表示体１０ａ、１０ｃ、１０ｆ、１０ｇ、１０ｈの各部分表示部１５、１６の組み合わせで、正面側及び背面側へそれぞれ略三角形形状の矢印表示を表すことができる。
【００５２】
前記図１、１０、１１、１８、１９等に示す表示装置１は、各表示体１０の長手方向の大きさを同一に形成し、長手方向の端部をそろえて各表示体１０を上下方向に配置させているが、これに限るものではない。
例えば、表示装置１を構成する各表示体１０の長手方向の大きさをそれぞれ異ならせて形成してもよく、長手方向の端部をそろえずに各表示体１０を上下方向に配置させてもよい。
図２３は、本発明に係る表示装置１の実施の他の一形態を示す正面図である。
図２３に示す表示装置１は、合計２２個の表示体１０の各部分表示部１５、１６を組み合わせて、略くの字形状の矢印表示を正面側と背面側とへそれぞれ２個づつ表すように設けたものである。
【００５３】
図２３に示す表示装置１は、４個の表示体１０ａと、１２個の表示体１０ｃと、２個の表示体１０ｈと、４個の表示体１０ｈ’で構成している。
図２３の表示体１０ａは、図２、３に示す前記表示体１０ａと同一であり、図２３の表示体１０ｃは、図７に示す前記表示体１０ｃと同一である。
また、図２３の表示体１０ｈは、図２２に示す前記表示体１０ｈと同一であり、表示体１０ｈ’は長手方向の大きさを半分に形成していること以外は前記表示体１０ｈと同一である。
【００５４】
図２３に示す表示装置１は、４種類の前記各表示体１０を上下方向へ５行配置している。
１、３、５行目においては、前記各表示体１０ｃを長手方向へ４個配置してケーブル２１へ取り付けている。
また、２行目及び４行目においては、前記各表示体１０ａ、１０ｈ、１０ｈ’を長手方向へそれぞれ合計５個配置してケーブル２１へ取り付けている。具体的には、長手方向中央の位置Ｃに表示体１０ｈを配置し、その両側に表示体１０ａを１個づつ配置し、更にその長手方向の端側に表示体１０ｈ’を１個づつ配置して、ケーブル２１へ取り付けている。
【００５５】
図２３に示す表示装置１は、上下方向へ５行に配置させた各表示体１０ａ、１０ｃ、１０ｈ、１０ｈ’を、図１等に示す前記各表示装置１と同様に、上下対称に配置させている。具体的には、上下方向の中央に位置する３行目の表示体１０を基準として、２行目と４行目に同じ種類の表示体１０を配置し、１行目と５行目に同じ種類の表示体１０を配置している。
このように各表示体１０を上下対称の配置とすることで、図１等に示す前記各表示装置１と同様に、各表示体１０の各部分表示部１５、１６を組み合わせて正面側と背面側へ前記一の表示をそれぞれ表す構成を、少ない種類の表示体１０で実現している。
また、図２３に示す表示装置１は、長手方向に複数個並設させた各表示体１０ａ、１０ｃ、１０ｈ、１０ｈ’を、図１等に示す前記各表示装置１と同様に、長手方向中央の位置Ｃを基準として両側へ対称に配置させており、各表示体１０の部分表示部１５、１６を組み合わせて、正面側と背面側へ前記一の表示をそれぞれ表す構成を、少ない種類の表示体１０で実現している。
前記前記表示装置１は、各表示体１０を上下対称に配置すると共に、長手方向中央を基準として両側へ対称に配置させる図２３の配置とすることで、４種類という少ない種類の表示体１０ａ、１０ｃ、１０ｈ、１０ｈ’の各部分表示部１５、１６の組み合わせで、正面側及び背面側へ略くの字形状の矢印表示をそれぞれ２個づつ表すことができる。
【００５６】
図２４は本発明に係る表示装置１を構成する表示体１０の実施の他の一形態を示す側面図であり、図２５は表示体１０の更に他の一形態を示す側面図である。
図２４、２５に示す各表示体１０は、筒状に形成した本体部１１の断面形状と、第一の下垂部１３及び第二の下垂部１４を互いに平行に配置させた点とが、図２、３に示す前記表示体１０ａと異なる事項である。
即ち、図２４、２５に示す表示体１０は、図２、３に示す前記表示体１０ａと同様に、弾性変形可能な材料で形成した長尺体であり、全長に亘る切欠部１２を有する筒形状の本体部１１と、この本体部１１の筒壁の各端部１１ａ、１１ｂにそれぞれ接続して下方へ突出する平板状の第一の下垂部１３、第二の下垂部１４を備えている。
【００５７】
図２４、２５に示す各表示体１０は、筒状の本体部１１の断面を円筒形状に形成しており、前記各下垂部１３、１４を互いに平行に配置して各端部１１ａ、１１ｂから下方へ突出させている。
図２４に示す表示体１０は前記各下垂部１３、１４を離間させて配置しており、図２５に示す表示体１０は前記各下垂部１３、１４の板面を互いに当接させて配置している。
【００５８】
図２４、２５に示す表示体１０は、図８、９に示す表示体１０ａと同様に、本体部１１の中空部ｈへケーブル２１を配置させ、本体部１１の筒壁の内面をケーブル２１へ載置させてケーブル２１へ取り付けるように設けている。
【００５９】
図２４、２５に示す各表示体１０は、図２、３に示す前記表示体１０ａと同様に、前記第一の下垂部１３が形成された側の幅方向の一方側の外面を部分表示部１５とし、他方側の外面を部分表示部１６としている。
前記表示体１０ａと同様に、図２４、２５に示す表示体１０は、本体部１１の外面と第一の下垂部１３の板面とにそれぞれ反射シートを全長に亘って貼着させた着色部１５ａ、１５ｂを前記部分表示部１５に備え、本体部１１の外面と第二の下垂部１４の板面とにそれぞれ反射シートを全長に亘って貼着させた着色部１６ａ、１６ｂを前記部分表示部１６に備えている。
また、図２４、２５に示す表示体１０は、各着色部１５ａ〜１６ｂの形状を異ならせて各部分表示部１５、１６の表す表示を前記各表示体１０ｂ〜１０ｈのように設けることができる。
【００６０】
図２６は本発明に係る表示装置１を構成する表示体１０の実施の他の一形態を示す側面図である。
図２６に示す各表示体１０は、第一の下垂部１３が端部１１ａからではなく本体部１１の筒壁の外面に接続して延設されている点と、本体部１１の筒壁の一方の端部１１ａが筒の内側へ入り込み筒壁の内側面に当接している点とが、図２５に示す前記表示体１０と異なる事項である。
即ち、図２６に示す表示体１０は、図２５に示す前記表示体１０と同様に、弾性変形可能な材料で形成した長尺体であり、全長に亘る切欠部１２を有する円筒形状の本体部１１と、この本体部１１の端部１１ｂに接続して下方へ突出する平板状の第二の下垂部１４を備えている。
【００６１】
本体部１１の外面から延設される第一の下垂部１３は、図２５に示す前記表示体１０と同様に、平板状に形成され、第二の下垂部１４と平行に配置されて、その板面を互いに当接させている。
また、図２６に示す表示体１０は、図２５に示す前記表示体１０と同様に、前記第一の下垂部１３が形成された側の幅方向の一方側の外面を部分表示部１５とし、他方側の外面を部分表示部１６として、本体部１１の外面や各下垂部１３、１４の板面にそれぞれ反射シートを貼着させた着色部１５ａ〜１６ｂをそれぞれ備えさせており、これら各着色部１５ａ〜１６ｂの形状を異ならせて各部分表示部１５、１６の表す表示を前記各表示体１０ｂ〜１０ｈのように設けることができる。
【００６２】
図２６に示す表示体１０は、図１〜２３に示す前記各表示体１０や、図２４、２５に示す前記各表示体１０と同様に、本体部１１の中空部ｈへケーブル２１を配置させ、本体部１１の筒壁の内面をケーブル２１へ載置させてケーブル２１へ取り付けるように設けている。
図２６に示す表示体１０は、本体部１１の端部１１ａが筒の内側に入り込んでいるので、各端部１１ａ、１１ｂを離間させて、切欠部１２の幅をケーブル２１が通過可能な大きさとする場合に、図１〜２５に示す各表示体１０と比較して、本体部１１をより大きく弾性変形させる必要がある。即ち、図２６に示す表示体１０は、ケーブル２１から外れにくくなされており、強風を受けたり車両が接触するなどの外力を受けた場合でもケーブル２１への取り付け状態が維持され、一の表示を表す機能を失わないという効果が期待できる。
【００６３】
図１〜２３に示す前記各表示体１０や、図２４〜２６に示す前記各表示体１０は、ケーブル２１を取り付ける本体部１１から下方へ平板状の下垂部１３、１４を突出させて設けているが、これに限るものではなく、部分表示部１５、１６を備える他の形状に形成してもよい。
図２７は本発明に係る表示装置１を構成する表示体１０の実施の他の一形態を示す側面図であり、図２８は表示体１０の更に他の一形態を示す側面図であり、図２９は表示体１０の更に他の一形態を示す側面図である。
図２７〜２９に示す各表示体１０は、筒状に形成した本体部１１の断面形状と、第一の下垂部１３及び第二の下垂部１４を備えていない点とが、図２、３に示す前記表示体１０ａや、図２４〜２６に示す前記各表示体１０と異なる事項である。
【００６４】
図２７〜２９に示す各表示体１０は、弾性変形可能な材料で形成した長尺体であり、全長に亘る切欠部１２を有する筒形状の本体部１１を備えている。
図２７に示す表示体１０は前記本体部１１を上下方向に長い小判状の断面形状に形成しており、図２８に示す表示体１０は上下方向に長い矩形筒状の断面に形成しており、図２９に示す表示体１０は円筒状の断面に形成している。
前記各表示体１０は、本体部１１の中空部ｈへケーブル２１を配置させてケーブル２１へ取り付けるように設けている。
【００６５】
図２７〜２９に示す各表示体１０は、幅方向の一方側の本体部１１の外面に部分表示部１５を形成し、他方側の本体部１１の外面に部分表示部１６を形成している。
前記各部分表示部１５、１６は、本体部１１の外面と異なる色調の反射シートを貼着させて形成した着色部１５ａ、１６ａにより、それぞれ表示を表すように設けている。
前記各表示体１０は、各着色部１５ａ、１６ａを本体部１１の長手方向の全長に亘り形成することで、図２、３に示す前記表示体１０ａと同様の表示を表すことができる。また、各着色部１５ａ、１６ａの形状を異ならせて形成する又は形成しないことで、前記表示体１０ｂ〜１０ｈと同様の表示を表すことができる。
【００６６】
図１〜２３や、図２４〜２９に示す各表示体１０は、その上端から下端までの上下方向の大きさを、各ケーブル２１の中心間の間隔の０．２倍以上、１倍未満に形成している。
前記各表示体の上下方向の大きさを前記間隔の１倍未満に形成することで、ケーブル２１に取り付けて上下に配置した各表示体１０の間に隙間が形成され、各表示体が互いに接触することによる劣化や破損などを防止できる。
また、前記各表示体１０の上下方向の大きさを大きくすることで、各部分表示部１５、１６をより大きく形成して、各部分表示部を組み合わせて表す前記一の表示をより一体的に視認できるように表すことができる。前記表示体１０の上下方向の大きさは、前記ケーブル２１の間隔に対して０．２倍以上に形成する構成が好ましく、０．５倍以上に形成する構成がより好ましい。
【００６７】
図１〜２３に示す各表示装置１は、各表示体１０をケーブル２１へ固定していないので、ケーブル２１に取り付けた状態で長手方向への移動が可能となっている。このため、各表示体１０が長手方向へ大きく移動すれば各部分表示部１５、１６を組み合わせて表す一の表示が崩れるので、移動を抑制するのが好ましい。
例えば、図１〜２３に示すように、各支柱２２間のケーブル２１のほぼ全長に亘るように各表示体１０を取り付ければ、各表示体１０の長手方向への移動の大きさがより小さくなされる。
各表示体１０の長手方向への移動の大きさを低減させるために、前記各表示体１０の全長の合計が、前記各支柱２２間のケーブル２１の長さの０．８倍以上となるように取り付ける構成が好ましく、更に表示体１０の長手方向の大きさを前記各支柱２２間のケーブル２１の長さの０．２倍以上となるように形成する構成が好ましい。
【００６８】
また、ケーブル２１へ取り付けた表示体１０の長手方向への移動を規制してもよい。
例えば、表示体１０と別体に形成した保持部材を、ケーブル２１へ固定して表示体１０の長手方向の端近傍に配置させれば、表示体１０の端が前記保持部材に当接して長手方向への移動を規制することができる。
前記保持部材は、各ケーブル２１へそれぞれ取り付けて固定してもよく、上下方向に配置した複数のケーブル２１へまたがるように１個の保持部材を取り付けて固定してもよい。
【００６９】
また、長手方向へ複数個並べてケーブル２１へ取り付けた各表示体１０を、連結部材で連結させてもよい。
具体的には、長手方向へ隣接する２個の表示体１０の各端部に、針金などからなるリング状の連結部材をそれぞれ貫通させて前記各端部を連結させてもよい。
【００７０】
尚、本発明に係る表示装置１は、上記実施形態に限定されるものではなく、本発明の要旨を逸脱しない範囲で種々の変更が可能である。
例えば、前記各表示装置１は、各表示体１０の部分表示部１５、１６を組み合わせて、正面側と背面側とにそれぞれ一の表示を表すように設けているが、これに限るものではなく、正面側と背面側のいずれか一方のみに一の表示を表すように設けても良い。
【００７１】
また、前記各表示装置１は、各表示体１０の部分表示部１５、１６を組み合わせて、矢印表示を表すように設けているが、これに限るものではなく、矢印以外の記号や図形、文字や数字などを表すように設けても良い。
【００７２】
また、前記各表示装置１は、各表示体１０の部分表示部１５、１６の各着色部を、光の再帰反射性を有する反射シートによって形成しているが、これに限るものではなく、シート状以外の光の反射体や、反射シート以外のシート体や、塗装などによって各着色部を形成してもよい。
また、前記各表示体１０の部分表示部１５、１６は、反射シートを貼着させて形成した各着色部の色調と、それ以外の本体部１１や各下垂部１３、１４の外面の色調の違いで表示を表しているが、これに限るものではない。例えば、前記着色部１５ａ〜１６ｂを形成していない表示体１０の外面に、着色部１５ａ〜１６ｂとは色調の異なる反射テープなどを貼着させて、各部分表示部１５、１６を形成してもよい。表示体１０の各部分表示部１５、１６に複数の色調の着色部を形成する場合には、色調の異なる複数の反射テープをそれぞれ貼着して形成してもよく、一種類の反射テープの表面に印刷や塗装などの方法によって異なる色調を着色させたものを貼着させてもよく、他の方法を用いてもよい。
【００７３】
また、前記各表示装置１は、各表示体１０を長手方向へ複数個並設させているが、これに限るものではなく、上下方向のみに複数並設させた各表示体１０の部分表示部１５、１６を組み合わせて一の表示を表すように設けても良い。
また、１個の表示体１０の上方や下方に、長手方向へ複数並べた表示体１０を配置してもよい。
【００７４】
また、前記各表示装置の表示体１０は、本体部１１や各下垂部１３、１４をそれぞれ１個の部材で形成しているが、これに限るものではなく、複数の部材を組み合わせて前記本体部１１や各下垂部１３、１４を形成してもよい。
【符号の説明】
【００７５】
１    表示装置
１０  表示体
１１  本体部
１２  切欠部
１３  第一の下垂部
１４  第二の下垂部
１５  部分表示部
１６  部分表示部
２    ガードケーブル
２１  ケーブル
２２  支柱
【図１】
2019090295.tif 000003
【図２】
2019090295.tif 000004
【図３】
2019090295.tif 000005
【図４】
2019090295.tif 000006
【図５】
2019090295.tif 000007
【図６】
2019090295.tif 000008
【図７】
2019090295.tif 000009
【図８】
2019090295.tif 000010
【図９】
2019090295.tif 000011
【図１０】
2019090295.tif 000012
【図１１】
2019090295.tif 000013
【図１２】
2019090295.tif 000014
【図１３】
2019090295.tif 000015
【図１４】
2019090295.tif 000016
【図１５】
2019090295.tif 000017
【図１６】
2019090295.tif 000018
【図１７】
2019090295.tif 000019
【図１８】
2019090295.tif 000020
【図１９】
2019090295.tif 000021
【図２０】
2019090295.tif 000022
【図２１】
2019090295.tif 000023
【図２２】
2019090295.tif 000024
【図２３】
2019090295.tif 000025
【図２４】
2019090295.tif 000026
【図２５】
2019090295.tif 000027
【図２６】
2019090295.tif 000028
【図２７】
2019090295.tif 000029
【図２８】
2019090295.tif 000030
【図２９】
2019090295.tif 000031